(57)【要約】【課題】  本発明は、インターネット接続装置の文字入力にかかる手間と時間を削減することができる携帯電話機及びそのプログラム及びそれを用いたインターネット接続装置を提供することを目的とする。【解決手段】  キー入力を行うキー入力部１４と、画像を表示する表示部１２と、インターネットに接続する機能を有する携帯電話機において、キー入力部から入力された文字をインターネット接続装置２０に入力する操作信号に変換する変換手段Ｓ１６と、変換手段で変換された文字入力を含む操作信号をインターネット接続装置に対して送信する送信手段Ｓ１８を有する。【選択図】      図４
2005333480.tif 000002
【特許請求の範囲】
【請求項１】
キー入力を行うキー入力部と、画像を表示する表示部と、インターネットに接続する機能を有する携帯電話機において、
前記キー入力部から入力された文字をインターネット接続装置に入力する操作信号に変換する変換手段と、
前記変換手段で変換された文字入力を含む操作信号を前記インターネット接続装置に対して送信する送信手段を
有することを特徴とする携帯電話機。
【請求項２】
請求項１記載の携帯電話機において、
前記文字をインターネット接続装置に入力する操作信号は、前記インターネット接続装置のモニタに文字配列表をクリックパレットとして表示した状態で、カーソルを所望の文字位置に移動させ、選択するための一連の操作信号であることを特徴とする携帯電話機。
【請求項３】
請求項１または２記載の携帯電話機において、
前記送信手段は、前記変換手段で変換された操作信号を赤外線により前記インターネット接続装置に対して送信することを特徴とする携帯電話機。
【請求項４】
請求項１乃至３のいずれか記載の携帯電話機から送信された文字入力を含む操作信号を受信し、前記操作信号に応じてインターネットに接続し所望のウェブサイトにアクセスを行い、前記文字入力を前記ウェブサイトに送信することを特徴とするインターネット接続装置。
【請求項５】
キー入力を行うキー入力部と、画像を表示する表示部と、インターネットに接続する機能を有する携帯電話機のコンピュータを、
前記インターネットを介して供給され、前記キー入力部から入力された文字をインターネット接続装置に入力する操作信号に変換する変換手段、
前記変換手段で変換された文字入力を含む操作信号を前記インターネット接続装置に対して送信する送信手段、
として機能させるためのプログラム。
【発明の詳細な説明】
【技術分野】
【０００１】
本発明は、携帯電話機及びそのプログラム及びそれを用いたインターネット接続装置に関し、インターネット接続装置の遠隔操作を行う携帯電話機及びそのプログラム及びそれを用いたインターネット接続装置に関する。
【背景技術】
【０００２】
一般に普及しているＡＤＳＬ（Ａｓｙｍｍｅｔｒｉｃ  Ｄｉｇｉｔａｌ  Ｓｕｂｓｃｒｉｂｅｒ  Ｌｉｎｅｓ）やＶＤＳＬ（Ｖｅｒｙ−ｈｉｇｈ−ｂｉｔ−ｒａｔｅ  ＤＳＬ）、ＨＤＳＬ（Ｈｉｇｈ−ｂｉｔ−ｒａｔｅ  ＤＳＬ），ＳＤＳＬ（Ｓｙｍｍｅｔｒｉｃ  ＤＳＬ）等のＤＳＬ通信は、既設の電話回線を用いて電話サービスで使用する帯域に影響を与えない高い周波数帯域を使用し、ユーザ端末とＤＳＬサービスのＩＳＰ（Ｉｎｔｅｒｎｅｔ  Ｓｅｒｖｉｃｅ  Ｐｒｏｖｉｄｅｒ）との間でデータ通信を行う。
【０００３】
このようなＤＳＬ通信を用いたインターネット接続装置として、ＩＰ−ＳＴＢ（Ｉｎｔｅｒｎｅｔ  Ｐｒｏｔｏｃｏｌ−Ｓｅｔ  Ｔｏｐ  Ｂｏｘ）がある。ＩＰ−ＳＴＢは例えば家庭やホテルなどに設置され、ユーザがリモートコントローラまたはパーソナルコンピュータ用のキーボードを操作して所望のウェブサイトやストリーミングコンテンツ等をアクセスして画面表示するものである。
【０００４】
ところで、電気機器のリモートコントローラとして携帯電話機を使用する技術が、例えば特許文献１〜４等に記載されている。特許文献１には、携帯電話機からの信号を制御手段で受信し、制御手段で受信した信号に従って被制御機器を遠隔操作する光信号を生成して被制御機器を制御することが記載されている。
【０００５】
特許文献２には、携帯電話機のファンクションキーにより通話部と遠隔制御部を切り替えて、操作ボタンから遠隔操作情報を入力し、赤外線信号発信部から被制御機器に対し遠隔操作信号を発信することが記載されている。
【０００６】
特許文献３，４には、携帯電話機をｉモードセンタに接続し、被制御機器のリモコン仕様データを取り寄せてメモリに格納し、キー操作と被制御機器の制御内容を画面表示し、キー操作に応じた赤外線操作信号を被制御機器に対し発信することが記載されている。
【特許文献１】特開平１１−２８４７５７号公報
【特許文献２】特開平１１−３４１１７１号公報
【特許文献３】特開２００１−２３７９２５号公報
【特許文献４】特開２００２−１６６７７号公報
【発明の開示】
【発明が解決しようとする課題】
【０００７】
従来のインターネット接続装置では、リモートコントローラまたはキーボードを操作して所望のウェブサイトをアクセスしている。リモートコントローラは、テンキー、上下左右の矢印キーを持つが文字キーを持っていない。このため、アクセスしたウェブサイト等にメールを出す場合も、例えば五十音またはアルファベットの文字配列表をクリックパレットとしてインターネット接続装置のモニタ画面に表示し、リモートコントローラを操作してカーソルを所望の文字位置に移動させて選択することで、１文字ずつ順に入力している。また、通常リモコンのボタンはゴム製のため、操作感が悪くボタン押下が不明瞭な場合もある。このため、文字入力に手間と時間がかかるという問題があった。
【０００８】
また、インターネット接続装置にパーソナルコンピュータ用のキーボードを接続して文字入力を行う場合には、パーソナルコンピュータに慣れていないユーザにはキーボードの文字配列がわかり辛く、文字入力に手間と時間がかかるという問題があった。
【０００９】
本発明は、上記の点に鑑みなされたものであり、インターネット接続装置の文字入力にかかる手間と時間を削減することができる携帯電話機及びそのプログラム及びそれを用いたインターネット接続装置を提供することを目的とする。
【課題を解決するための手段】
【００１０】
請求項１に記載の発明は、キー入力を行うキー入力部と、画像を表示する表示部と、インターネットに接続する機能を有する携帯電話機において、
前記キー入力部から入力された文字をインターネット接続装置に入力する操作信号に変換する変換手段と、
前記変換手段で変換された文字入力を含む操作信号を前記インターネット接続装置に対して送信する送信手段を有することにより、
携帯電話機のキー入力部で入力した文字をインターネット接続装置に入力でき、従来のキー入力部を持たないリモコンに比して簡単に文字を入力することができる。
【００１１】
請求項２に記載の発明は、請求項１記載の携帯電話機において、
前記文字をインターネット接続装置に入力する操作信号は、前記インターネット接続装置のモニタに文字配列表をクリックパレットとして表示した状態で、カーソルを所望の文字位置に移動させ、選択するための一連の操作信号であることにより、
携帯電話機のキー入力部で入力した文字をインターネット接続装置に入力することを実現できる。
【００１２】
請求項４に記載の発明は、請求項１乃至３のいずれか記載の携帯電話機から送信された文字入力を含む操作信号を受信し、前記操作信号に応じてインターネットに接続し所望のウェブサイトにアクセスを行い、前記文字入力を前記ウェブサイトに送信することにより、
従来のキー入力部を持たないリモコンに比して簡単に文字を入力でき、この文字入力を簡単にウェブサイトに送信することができる。
【００１３】
請求項５に記載の発明は、キー入力を行うキー入力部と、画像を表示する表示部と、インターネットに接続する機能を有する携帯電話機のコンピュータを、
前記インターネットを介して供給され、前記キー入力部から入力された文字をインターネット接続装置に入力する操作信号に変換する変換手段、
前記変換手段で変換された文字入力を含む操作信号を前記インターネット接続装置に対して送信する送信手段、として機能させるため、請求項１の発明を実現できる。
【発明の効果】
【００１４】
本発明によれば、携帯電話機のキー入力部で入力した文字をインターネット接続装置に入力でき、従来のキー入力部を持たないリモコンに比して簡単に文字を入力することができる。
【発明を実施するための最良の形態】
【００１５】
以下、図面に基づいて本発明の実施形態について説明する。
【００１６】
図１は、本発明の携帯電話機の一実施形態のブロック図を示す。同図中、携帯電話機２は、無線通信部４と、受話部５と、送話部６と、ＣＰＵ８と、不揮発性のメモリ１０と、表示部１２と、キーボード１４と、赤外線送信部１６よりなる。
【００１７】
無線通信部４は、受信した無線信号を復調して復調データをＣＰＵ８に供給する。また、ＣＰＵ８から供給される送信データを変調して無線送信する。復調データのうち音声データはＣＰＵ８から受話部５供給され、音声信号に変換されて発音される。送話部６にて得られた音声信号は音声データに変換されてＣＰＵ８に供給され送信データとされる。
【００１８】
ＣＰＵ８は、携帯電話機２全体の制御を行う。ＣＰＵ８は無線通信部４より供給される復調データを解読して着呼処理等を行う。また、メモリ１０に格納されているブラウザにより無線通信部４を介してインターネットに接続する。ＣＰＵ８は無線通信部４から復調データとして文字変換プログラムを供給されるとメモリ１０に格納し、復調データとして画像データ及び文字データを供給されると表示画像を生成して表示部１２に表示する。
【００１９】
また、ＣＰＵ８はキー入力部１４のキー操作入力を読み取って発呼処理等を行う。更に、ＣＰＵ８はリモコンモード時に、メモリ１０の文字変換プログラムにより操作データを生成し、赤外線送信部１６に供給する。赤外線送信部１６では操作データに従った赤外線操作信号を出力する。
【００２０】
ところで、携帯電話機２は携帯電話網に接続してインターネットのゲートウェイとなるセンタ装置からインターネットを介して特定ウェブサイトに接続し、このウェブサイトから文字変換プログラムをダウンロードし、メモリ１０に格納する。
【００２１】
図２は、本発明で使用されるインターネット接続装置の一実施形態のブロック図を示す。この実施形態ではＡＤＳＬを用いて通信を行うものとして説明する。同図中、インターネット接続装置２０は、ＡＤＳＬモデム２２と、通信ＩＦ（インタフェース）部２４と、ＣＰＵ２６と、ＲＡＭ２８と、ＲＯＭ３０と、入力ＩＦ部３２と、表示制御部３４と、ハードディスク装置３６、及び通信ＩＦ部２４，ＣＰＵ２６，ＲＡＭ２８，ＲＯＭ３０，入力ＩＦ部３２，表示制御部３４，ハードディスク装置３６それぞれが接続された内部バス３８よりなる。このインターネット接続装置２０はＩＰ−ＳＴＢであり、例えば家庭やホテルなどに設置されユーザが携帯電話機２（もしくはリモートコントローラ）を操作して所望のウェブサイトやストリーミングコンテンツ等をアクセスして画面表示するものである。
【００２２】
ＡＤＳＬモデム２２は電話回線４２を介して図示しない回線基地局内のＡＤＳＬモデムと接続されると共に、ＬＡＮにより通信ＩＦ部２４に接続されている。通信ＩＦ部２４は内部バス３８とＬＡＮ間のインタフェースをとっている。ＣＰＵ２６はＲＯＭ３０に格納されているプログラムを実行してインターネット接続装置２０全体の動作制御を行う。この際に、ＲＡＭ３８が作業領域として使用される。
【００２３】
入力ＩＦ部３２は、図３に示す赤外線受光部３３を有している。図３に示すように、携帯電話機２が出力する赤外線操作信号は赤外線受光部３３で受信される。これにより、ユーザが携帯電話機２で行った操作入力及び文字入力は入力ＩＦ部３２を介してＣＰＵ２６に読み取られる。
【００２４】
ＣＰＵ２６は上記操作入力に従って、ＡＤＳＬモデム２２を電話回線４２から回線基地局内のＡＤＳＬモデムに接続させ、回線基地局内のＡＤＳＬモデムに接続されているＩＳＰとの間でデータ通信を行う。これによって、ＩＳＰから供給されるＩＰ（Ｉｎｔｅｒｎｅｔ  Ｐｒｏｔｏｃｏｌ）データはＲＡＭ２８もしくはハードディスク装置３６に格納され、表示制御部３４によってモニタ４４に表示される。また、ＣＰＵ２６は上記文字入力をモニタ４４に表示して、メール等を作成する。
【００２５】
図４は、携帯電話機２のＣＰＵ８が実行するリモコンモード時に実行する処理の一実施形態のフローチャートを示す。なお、携帯電話機２はキー入力部１４のファンクションキーを操作することにより、リモコンモードに切り替わる。
【００２６】
図４において、まず、ステップＳ１０で文字入力が行われたか否かを判別し、文字入力が行われた場合、ステップＳ１２で入力された文字（数字や符号を含む）をメモリ１０に格納すると共に、格納した文字または文字列を表示部１２に表示してステップＳ１０に進む。
【００２７】
文字入力がなければ、ステップＳ１４でキー入力部１４の文字変換キーの操作による転送の操作入力が行われたか否かを判別する。文字変換の操作入力が行われた場合にはステップＳ１６で文字変換処理を行う。ここでは、五十音またはアルファベットの文字配列表をクリックパレットとしてモニタ４４に表示した状態で、カーソルを所望の文字位置に移動させ、選択するための一連の操作信号に変換する。つまり、１文字でカーソル移動と選択という複数の操作信号が生成され、この文字変換処理はメモリ１０に格納されている全文字について実行される。この変換により得られた一連の操作信号はステップＳ１８において赤外線送信部１６から赤外線操作信号として出力される。
【００２８】
一方、転送の操作入力がなければステップＳ２０でキー入力部１４の削除キーや上下左右の矢印キー等の操作による一般の操作入力が行われたか否かを判別し、一般の操作入力が行われるとステップＳ２０に進み、一般の操作入力に応じた操作信号が生成され、この操作信号はステップＳ１８において赤外線送信部１６から赤外線操作信号として出力される。また、ステップＳ２０で操作入力がなければステップＳ１０に進んで、ステップＳ１０〜１４を繰り返す。
【００２９】
ステップＳ１８を実行したのちステップＳ２４に進み、リモコンモードが終了したか否かを判別し、リモコンモードが終了していなければステップＳ１０に進み、リモコンモードが終了した場合には、この処理サイクルを終了する。
【００３０】
このように、携帯電話機２からインターネット接続装置２０のモニタ４４に文字配列表をクリックパレットとして表示した状態で、カーソルを所望の文字位置に移動させ、選択するための一連の赤外線操作信号を出力することで、インターネット接続装置２０に文字を入力することができる。
【００３１】
また、図４に示すリモコンモードの処理中に通話着信やメール受信があった場合は、上記動作を一時中断し、通話着信またはメール受信を優先して処理する。通話やメール操作が終了した後に、リモコンモード処理に復帰し通話着信やメール受信する直前まで行っていた操作を続けて行うことができる。例えば、ステップＳ１０で文字入力を行っている途中に通話着信があった場合、リモコンモードが一時中断され、着信前まで入力されていた文字を一時メモリに記憶する。通話が終了し通話終了ボタンが押されると、リモコンモードが復帰するとともにメモリに記憶していた文字入力を呼び出し、ステップＳ１０の処理を着信前に継続して行うことができる。
【００３２】
携帯電話機２は普及度が高く、電子メール等を日常的に使用できるように操作体系や操作機構が作られているために、文字入力やその他の操作入力を容易に行うことができ、各ユーザにとっては日常的に使用され、ごく自然に扱うことができる。このため、従来のキー入力部を持たないリモコンに比して文字入力に掛かる手間と時間を削減できる。
【００３３】
なお、上記実施形態ではインターネット接続装置としてＩＰ−ＳＴＢを例にとって説明したが、インターネット接続装置がＰＤＡ（Ｐｅｒｓｏｎａｌ  Ｄｉｇｉｔａｌ  Ａｓｓｉｓｔａｎｔ）の場合にもＩＰ−ＳＴＢと同様にして文字入力に掛かる手間と時間を削減できる。
【００３４】
なお、ステップＳ１６が請求項記載の変換手段に対応し、ステップＳ１８が送信手段に対応する。
【図面の簡単な説明】
【００３５】
【図１】本発明の携帯電話機の一実施形態のブロック図である。
【図２】本発明で使用されるインターネット接続装置の一実施形態のブロック図である。
【図３】携帯電話機からインターネット接続装置に赤外線操作信号を送信する様子を示す図である。
【図４】携帯電話機のＣＰＵが実行するリモコンモード時に実行する処理のフローチャートである。
【符号の説明】
【００３６】
２  リモートコントローラ
４  無線通信部
５  受話部
６  送話部
８  ＣＰＵ
１０  メモリ
１２  表示部
１４  キー入力部
１６  赤外線送信部
２０  インターネット接続装置
２２  ＡＤＳＬモデム
２４  通信ＩＦ部
２６  ＣＰＵ
２８  ＲＡＭ
３０  ＲＯＭ
３２  入力ＩＦ部
３４  表示制御部
３６  ハードディスク装置
３８  内部バス
４２  電話回線
４４  モニタ
【図１】
2005333480.tif 000003
【図２】
2005333480.tif 000004
【図３】
2005333480.tif 000005
【図４】
2005333480.tif 000006